(57)【要約】【課題】全体重量の軽減と全体形状のコンパクト化とを同時に実現しつつ、一次音圧傾度タイプのマイクロホンユニットを複数系統独立した状態で収容した指向性マイクロホンの提供。【解決手段】音響管を兼ねるマイクロホンケース１２と、前方音響端子２２ａと後方音響端子２２ｂとを有して該マイクロホンケース１２内に収容される２以上のマイクロホンユニット２２とで少なくとも構成され、マイクロホンケース１２の周壁部に設けられた通孔１４を音響抵抗材１６で覆うとともに、前方音響端子２２ａ側を前側に位置させたマイクロホンユニット２２のそれぞれは、マイクロホンケース１２の後端部１２ａ内に該マイクロホンケース１２の内周面１３との間に空隙２４を介在させて隣接配置した。【選択図】図１
2006229731.tif 000002
【特許請求の範囲】
【請求項１】
音響管を兼ねるマイクロホンケースと、前方音響端子と後方音響端子とを有して該マイクロホンケース内に収容される２以上のマイクロホンユニットとで少なくとも構成され、
前記マイクロホンケースの周壁部に設けられた通孔を音響抵抗材で覆うとともに、
前方音響端子側を前側に位置させた前記マイクロホンユニットのそれぞれは、前記マイクロホンケースの後端部内に該マイクロホンケースの内周面との間に空隙を介在させて隣接配置したことを特徴とする狭指向性マイクロホン。
【発明の詳細な説明】
【技術分野】
【０００１】
本発明は、前方音響端子と後方音響端子とを有する複数個のマイクロホンユニットを組み込んでなる狭指向性マイクロホンに関する技術である。
【背景技術】
【０００２】
会議や放送局などのように特に重要な場所で用いられるマイクロホンについては、故障による音切れへの対応や、拡声用の機器や録音用の機器に各別に接続するなどの必要もあって、机上などの所定位置に複数本のマイクロホンが林立するように設置される例が多い。
【０００３】
この場合、話者の前には、多数本のマイクロホンが立ち並ぶことになる結果、そのための設置スペースの確保に難渋したり、視覚的に話者が見づらくななってしまうなどの不具合があった。
【０００４】
このため、従来からあるマイクロホンの中には、１つのヘッドのなかに高感度マイクロホンユニットを２系統もしくは３系統独立に組み込んでできるだけ設置本数を減らすことにより、設置スペースの確保や話者の目視確認を容易化できるようにしたものもある。
【０００５】
一方、マイクロホンには、前方音響端子と後方音響端子とを有するマイクロホンユニットの前方音響端子側に音響管を取り付けて指向性を狭くするようにした狭指向性マイクロホンもあり、この種の狭指向性マイクロホンについては、例えば下記特許文献１に開示されているものを含め、種々の構造のものが従来より提案されてきている。
【特許文献１】特開昭６２−１１８６９８号公報
【０００６】
ところで、狭指向性マイクロホンの分野においては、会議用などに用いられる上記マイクロホンとは異なり、前方音響端子と後方音響端子とを有するマイクロホンユニットを備えた狭指向性マイクロホンを１本のマイクロホンケース内に複数個収容してなる複数系統独立の構造を備えたマイク本体が提供された例はない。
【発明の開示】
【発明が解決しようとする課題】
【０００７】
図２は、２系統独立の狭指向性マイクロホンを１本のマイクロホンケース内に収容してマイク本体とした状態を想定して、その配置関係を示した説明図である。
【０００８】
この場合、各狭指向性マイクロホン３は、特許文献１からも明らかなように前部音響端子４ａと後部音響端子４ｂとを有するマイクロホンユニット４を、前部音響端子４ａ側に音響管５の後端を密閉状態のもとで取り付けることで形成されている。また、音響管５は、その周壁部にスリット孔６が設けられており、該スリット孔６は狭指向性が得られるように音響抵抗材７で覆われている。
【０００９】
このようにして形成されている狭指向性マイクロホン３は、図２に示すように１本のマイクロホンケース２内に２系統独立させた状態のもとで２本収容することで、マイク本体１が形成されることになる。
【００１０】
しかも、この場合、２本の狭指向性マイクロホン３のそれぞれは、音響管５，５相互間で共振などに起因する音響的な干渉が生じないように、マイクロホンケース２内に間隔ｔをあけて配置しておく必要がある。
【００１１】
このため、マイク本体１は、マイクロホンケース２自体の形状が図２に示すように大径化してしまうばかりでなく、金属材からなる２本の音響管５を収容していることからその全体重量も増加することになる。したがって、このような構造を備えたマイク本体１を支柱として用いられる図示しないフレキシブルパイプに仮に取り付けた場合には、該フレキシブルパイプがその重量に耐えきれず、うなだれるようにへたってしまい、マイク本体１を所望する位置へと移動調整することができなくなる不都合が生じることになる。
【００１２】
本発明は、従来技術の上記課題に鑑み、前方音響端子と後方音響端子とを有する複数系統独立のマイクロホンユニットを収容しても、全体重量の軽減と全体形状のコンパクト化とを同時に実現することができる狭指向性マイクロホンを提供することに目的がある。
【課題を解決するための手段】
【００１３】
本発明は、上記目的を達成すべくなされたものであり、音響管を兼ねるマイクロホンケースと、前方音響端子と後方音響端子とを有して該マイクロホンケース内に収容される２以上のマイクロホンユニットとで少なくとも構成され、前記マイクロホンケースの周壁部に設けられた通孔を音響抵抗材で覆うとともに、前方音響端子側を前側に位置させた前記マイクロホンユニットのそれぞれは、前記マイクロホンケースの後端部内に該マイクロホンケースの内周面との間に空隙を介在させて隣接配置したことを最も主要な特徴とする。
【発明の効果】
【００１４】
本発明によれば、音響管を兼ねるマイクロホンケース内に前方音響端子と後方音響端子とを有するマイクロホンユニットを２以上の系統独立とた状態のもとで収容して狭指向性マイクロホンを形成することができる。このため、該狭指向性マイクロホンは、音響管自体を不要とすることで全体重量の軽減化と全体形状のコンパクト化とを同時に実現することができる。
【００１５】
したがって、上記狭指向性マイクロホンを収音部として用いる場合には、これをスタンドアームとして支える支柱がフレキシブルパイプであったとして、その位置を適宜移動調整しながら安定的に使用することができる。
【発明を実施するための最良の形態】
【００１６】
図１は、本発明の一例を示す拡大断面図であり、狭指向性マイクロホン１１の全体は、音響管を兼ねるマイクロホンケース１２と、前方音響端子２２ａと後方音響端子２２ｂとを有してマイクロホンケース１２内に収容される２個のマイクロホンユニット２２とで少なくとも構成されている。
【００１７】
このうち、適宜長さのマイクロホンケース１２は、アルミニウム等の金属材が用いられ、その軸方向での両端を開口させ、かつ、収容されるマイクロホンユニット２２の外径および収容個数との関係で定まる適宜口径の円筒状となって形成されている。
【００１８】
また、マイクロホンケース１２は、その円周方向とは直交する周壁部の長さ方向に向けて、例えば円周方向で９０度の間隔をおいて平行に配列するなどしたスリット孔１５が狭指向性を得る音響抵抗用の通孔１４として各別に形成されている。
【００１９】
しかも、スリット孔１５は、マイクロホンケース１２の内側面１３側からナイロンメッシュや不織布などからなる音響抵抗材１６を貼着することで覆われている。
【００２０】
マイクロホンユニット２２は、前方音響端子２２ａと後方音響端子２２ｂとを有する一次音圧傾度タイプのものが用いられ、その前方音響端子２２ａ側を前側（図示例では左側）に位置させてマイクロホンケース１２の後端部１２ａ内に２個収容されている。
【００２１】
この場合、２個のマイクロホンユニット２２は、相互にその外周面２３が接触し合う状態のもとでマイクロホンケース１２内に隣接配置されている。しかも、各マイクロホンユニット２２は、その外周面２３とマイクロホンケース１２の内側面１３との間に空隙２４が形成される状態のもとで収容されている。
【００２２】
また、各マイクロホンユニット２２は、マイクロホンケース１２の後端側と連結される図示しないスタンドアームとしての支柱側に保持された状態のもとで、マイクロホンケース１２の後端部１２ａ内に安定的に収容されることになる。さらに、各マイクロホンユニット２２は、マイクロホンケース１２との間に部分的に介在させて空隙を２４を形成するゴム等の弾性材を介して固定配置することもできる。
【００２３】
次に、上記構成からなる本発明につき、その作用を説明すれば、各マイクロホンユニット２２は、スリット孔１５が音響抵抗材１６で塞がれているマイクロホンケース１２に音響管としての機能をも果たさせながら収容され、その全体で２系統独立の狭指向性マイクロホン１１として用いることができる。
【００２４】
この場合、各マイクロホンユニット２２には、図２に示すような音響管が接続されていないので、マイクロホンユニット２２，２２相互をそれぞれの外周面２３が接触するように隣接配置しても、それぞれの全体形状自体が小さいこともあって共振するなどの音響的な干渉を発生させることはない。
【００２５】
このため、狭指向性マイクロホン１１は、音響管自体を不要とすることで全体重量の軽減化と全体形状のコンパクト化とを同時に実現することができる。
【００２６】
したがって、狭指向性マイクロホン１１を収音部として用いる場合には、これをスタンドアームとして支える図示しない支柱がフレキシブルパイプであったとして、図２に示す構造のものとは異なり、その位置を適宜移動調整しながら安定的に使用することができる。
【００２７】
以上は、本発明を図示例に基づいて説明したものであり、その具体的な構成はこれに限定されるものではない。例えば、マイクロホンユニット２２は、所望に応じ３個以上をマイクロホンケース１２内に収容することもできる。また、マイクロホンケース１２に設けられる通孔１４は、図１に示すスリット孔１５以外にも、多数の円孔で形成したり、多数の長孔など、適宜の開口形状を呈するものにより構成するものであってもよい。また、音響抵抗材１６は、マイクロホンケース１２の外側から通孔１４を覆うものであってもよい。
【図面の簡単な説明】
【００２８】
【図１】本発明の一例を示す拡大断面図。
【図２】２系統独立の狭指向性マイクロホンを１本のマイクロホンケース内に収容してマイク本体とした状態を想定して、その配置関係を示した説明図。
【符号の説明】
【００２９】
１１  狭指向性マイクロホン
１２  マイクロホンケース
１２ａ  後端部
１３  内側面
１４  通孔
１５  スリット孔
１６  音響抵抗材
２２  マイクロホンユニット
２２ａ  前方音響端子
２２ｂ  後方音響端子
２３  外周面
２４  空隙
【図１】
2006229731.tif 000003
【図２】
2006229731.tif 000004